(57)【要約】【課題】簡単な構成にして、ドリンクホルダとしての機能を担保しつつ、ゴミを収容する容量を増やし、ゴミ箱としても使用する。【解決手段】上下端に開口を有する筒状に形成された本体部(3)と、本体部の開口の周縁に設けられ、開口の内側に向かって突出された留受部(10)と、留受部に係脱可能に装着された枠状の部材であって、内周縁が留受部より開口の内側に位置する縁部材(20)と、により構成され、縁部材が本体部の下端に位置しているとき、縁部材の上に飲料容器(30)を保持可能となり、縁部材が本体部の上端に位置しているとき、留受部と縁部材の間に袋状容器(40)を挟み込むことによって袋状容器を保持可能となる。【選択図】図４
2018108748.tif 000002
【特許請求の範囲】
【請求項１】
上下端に開口を有する筒状に形成された本体部と、
前記本体部の前記開口の周縁に設けられ、前記開口の内側に向かって突出された留受部と、
前記留受部に係脱可能に装着された枠状の部材であって、内周縁が前記留受部より前記開口の内側に位置する縁部材と、により構成され、
前記縁部材が前記本体部の下端に位置しているとき、前記縁部材の上に飲料容器を保持可能となり、
前記縁部材が前記本体部の上端に位置しているとき、前記留受部と前記縁部材の間に袋状容器を挟み込むことによって前記袋状容器を保持可能となる
多機能ドリンクホルダ。
【請求項２】
前記縁部材は、前記留受部に係脱可能な可撓性の係止部を有し、
前記係止部は、前記縁部材の内周縁から前記縁部材の開口径方向に対し垂直な方向に向かい延びており、前記係止部の先端には、前記縁部材の外周方向に向かい突出し前記留受部に係脱可能な返し部が設けられる
請求項１に記載の多機能ドリンクホルダ。
【請求項３】
前記係止部のうち、前記返し部の前記縁部材側と反対側の面は前記返し部の前記縁部材側に比べ摩擦係数が低い、請求項１または２に記載の多機能ドリンクホルダ。
【請求項４】
前記留受部は、前記本体部の両端に設けられる、請求項１から３のいずれか１項に記載の多機能ドリンクホルダ。
【請求項５】
前記本体部は、折り畳み可能に構成される、請求項１から４のいずれか１項に記載の多機能ドリンクホルダ。
【発明の詳細な説明】
【技術分野】
【０００１】
本発明は多機能ドリンクホルダに係り、特にドリンクホルダとしての機能と、多目的に利用可能な物入れとしての機能を両立させる技術に関する。
【背景技術】
【０００２】
自動車の車内には、運転席近傍やその他の席の近傍に、飲み物の入った容器を置くためのドリンクホルダが複数設けられている。また、近年では、ルーバや、シートの後部座席側に設けられたポケット等に取り付ける様式の、所謂後付式のドリンクホルダが普及している。これにより、車内には、車両の定員数以上の数のドリンクホルダを設けることが多い。そこで、使用していないドリンクホルダを活用する方法のひとつとして、小型のゴミ箱として利用することが行われている。
【０００３】
また、ドリンクホルダ同様に、車両のドア等の車内に設けられ、ゴミ袋を装着可能な車輌用の簡易ゴミ袋装着装置が開発されている。（特許文献１）
【特許文献１】特開２０００−１５３７３９号公報
【発明の概要】
【発明が解決しようとする課題】
【０００４】
しかしながら、上記のようにドリンクホルダを小型のゴミ箱として利用する場合では、ゴミを捕集できる容量が少なく頻繁にゴミを処理する必要があり、好ましいことではない。また、ドリンクホルダにゴミを入れると、ドリンクホルダを汚してしまうこともあり、衛生的ではない。
また、上記特許文献１に開示される技術では、ゴミを収集する機能のみに特化したものであり、ドリンクホルダとしての機能を有していないため、ドリンクホルダの数を増やしたい場合と、ゴミ箱の数を増やしたい場合とで使い分けることができない。また、ゴミ袋がゴミを限界まで蓄積している場合、ゴミ袋を取り外す際にゴミがこぼれ落ち、該車輌用の簡易ゴミ袋装着装置にゴミが触れる虞があり、衛生的でないという問題がある。
【０００５】
本発明はこのような課題に鑑みてなされたものであり、その目的とするところは、簡単な構成にして、ゴミを収容する容量が多く、ゴミ袋を吊持でき、ゴミ箱として使用する場合とドリンクホルダとして使用する場合とで簡単に使い分けることができる、衛生的な多機能ドリンクホルダを提供することにある。
【課題を解決するための手段】
【０００６】
上記の目的を達成するため、本発明の多機能ドリンクホルダは、上下端に開口を有する筒状に形成された本体部と、本体部の開口の周縁に設けられ、開口の内側に向かって突出された留受部と、留受部に係脱可能に装着された枠状の部材であって、内周縁が留受部より開口の内側に位置する縁部材と、により構成され、縁部材が本体部の下端に位置しているとき、縁部材の上に飲料容器を保持可能となり、縁部材が本体部の上端に位置しているとき、留受部と縁部材の間に袋状容器を挟み込むことによって袋状容器を保持可能なことを特徴とする。
【０００７】
これにより、縁部材が本体部の下端に位置しているとき、縁部材の上に飲料容器を保持可能となり、縁部材が本体部の上端に位置しているとき、留受部と縁部材の間に袋状容器を挟み込むことによって袋状容器を保持可能となるようにすることで、本発明に係る多機能ドリンクホルダを飲料容器を保持するために使用することと、袋状容器を保持して物入れとして使用することとで使い分けることができる。
【０００８】
その他の態様として、縁部材は、留受部に係脱可能な可撓性の係止部を有し、係止部は、縁部材の内周縁から縁部材の開口径方向に対し垂直な方向に向かい延びており、係止部の先端には、縁部材の外周方向に向かい突出し留受部に係脱可能な返し部が設けられるのが望ましい。
これにより、縁部材に設けられた可撓性の係止部によって縁部材を留受部に係止可能とすることで、飲料容器を保持するときは、係止部は、該飲料容器により押圧され留受部に密着することで飲料容器を留受部に保持することができ、袋状容器を保持するときは、係止部は、本体部の開口即ち縁部材の開口に挿入されて該縁部材を覆うよう折り返された袋状容器の開口縁を留受部との間に挟み込むことで袋状容器を留受部に保持することができる。
【０００９】
その他の態様として、係止部のうち、返し部の縁部材側と反対側の面は返し部の縁部材側に比べ摩擦係数が低いのが望ましい。
これにより、返し部の縁部材側の面の摩擦係数が高く、縁部材側とは反対側の面の摩擦係数が低いので、該飲料容器を保持する力を低下させない一方、該袋状容器を重力方向へ引き抜いて取り外すときの該袋状容器の口が、係止部の外径側を滑らかに通過可能とされる。
【００１０】
その他の態様として、留受部は、本体部の両端に設けられるのが望ましい。
これにより、留受部が本体部の両端に設けられているので、本体部を一定の向きに固定して使用する場合であっても、係止部を下側に設けられた縁部材を本体部の上側に設けられた留受部に係止させることで該飲料容器を保持することができ、係止部を上側に設けられた縁部材を本体部の下側に設けられた留受部に該袋状容器の開口縁を間に挟み込みながらにして係止することで物入れとして使用することが可能とされる。
【００１１】
その他の態様として、本体部は、折り畳み可能に構成されるのが望ましい。
これにより、本体部を折り畳むことで、本発明に係る多機能ドリンクホルダを使用しない場合には、本体部を折り畳み、該多機能ドリンクホルダをコンパクトにして収納することが可能とされる。
【発明の効果】
【００１２】
本発明の多機能ドリンクホルダによれば、縁部材が本体部の下端に位置しているとき、縁部材の上に飲料容器を保持可能となり、縁部材が本体部の上端に位置しているとき、留受部と縁部材の間に袋状容器を挟み込むことによって袋状容器を保持可能となるようにしたので、本発明に係る多機能ドリンクホルダを飲料容器を保持するために使用することと、袋状容器を保持して物入れとして使用することとで使い分けることができる。
【００１３】
また、例えば、本体部を折り畳むことで、本発明に係る多機能ドリンクホルダを使用しない場合には、本体部を折り畳み、該多機能ドリンクホルダをコンパクトにして収納することが可能とされる。
これにより、簡単な構成にして、ドリンクホルダとしての機能を担保しつつ、ゴミ箱としても使用することの可能な多機能ドリンクホルダを提供することができる。
【図面の簡単な説明】
【００１４】
【図１】本発明に係る多機能ドリンクホルダの全体構造を示す、概略構成図である。
【図２】本体の下側の留受部材に係止部材を係止させた状態の断面図である。
【図３】図１中のI-I断面、及びII-II断面の各断面図である。
【図４】本実施形態に係る多機能ドリンクホルダを、ペットボトルを乗せて使用する状態の断面図である。
【図５】本実施形態に係る多機能ドリンクホルダをゴミ箱として使用する状態の断面図である。
【図６】本実施形態に係る多機能ドリンクホルダをゴミ箱として使用した後、ゴミ袋を多機能ドリンクホルダから取り外すときの状態の断面図である。
【図７】第２実施形態に係る多機能ドリンクホルダである、収納式ホルダの概略構成図である。
【図８】収納庫に収納された状態の収納式ホルダの断面図である。
【発明を実施するための形態】
【００１５】
以下、図面に基づき本発明の一実施形態について説明する。
＜第１実施形態＞
図１を参照すると、第１実施形態に係る多機能ドリンクホルダの全体構造を示す、概略構成図が示されている。
多機能ドリンクホルダ１は、車両の乗員が任意で車内に多機能ドリンクホルダ１を取り付ける、所謂後付型のドリンクホルダである。また、多機能ドリンクホルダ１は、本体３と、係止具６によって構成されている。
【００１６】
本体（本体部）３は、側面部材８と留受部材（留受部）１０によって構成されている。
側面部材８は、円筒形状をした筒状の部材であり、例えば樹脂で構成されている。なお、側面部材８は、固形のものでもよく、布や蛇腹形状等にして形状を変えることにより畳んでしまうことが可能なものでもよい。
留受部材１０は、リング状の部材である。図２（ａ）を参照すると、図１のI-I断面の断面図が示されているが、留受部材１０は、端部１０ａと留受面１０ｂとによって構成され、側面部材８の両端にそれぞれ配設されている。
【００１７】
係止具６は、縁部材２０と係止部材２２で構成されている。
縁部材２０は、リング状の平板部材である。図２（ｂ）を参照すると、図１のII-II断面の断面図が示されているが、係止部材２２は根元部２２ａと返し部２２ｂとによって構成されている。図３を参照すると、本体３の下側の留受部材１０に係止具６を係止させた状態の断面図が示されており、縁部材２０は、内径が留受部材１０の内径よりも小さくなるよう構成されている。また、縁部材２０の外周径は、留受部材１０の最外周と略同一の外周径をなしている。
【００１８】
係止部材（係止部）２２は、根元部２２ａと返し部２２ｂとが一体に構成されたリング状の部材であり、例えばゴム素材により一体成形されている。なお、係止部材２２の材質は、可撓性があればゴム素材でなくてもよく、例えばシリコン素材でもよい。
根元部２２ａは、縁部材２０の内径と略同一の内径となるよう構成されている。また、根元部２２ａの外径は、留受部材１０の最内径よりも小さい径をなしている。更に、根元部２２ａは、留受部材１０の縁部材２０と接する面から留受面１０ｂまでの距離よりも長い形状をなしている。
【００１９】
返し部２２ｂは、根元部２２ａの縁部材２０とは反対側の端部に延設されている。返し部２２ｂは、根元部２２ａの端部から縁部材２０の外径側且つ留受面１０ｂに向かって折り返された形状をしている。また、返し部２２ｂの根元部２２ａと対称的な位置となる（つまり、縁部材２０を向く面）先端外側面２２ｃは、摩擦係数が低くなるようなコーティングがされている。なお、先端外側面２２ｃに施されたコーティングは、摩擦係数が低くなれば良いため、塗装やシールを張り付けて摩擦係数を下げるようにしてもよく、コーティングでなくてもよい。
【００２０】
次に、図３、図４を用いて本発明に係る多機能ドリンクホルダの、ドリンクホルダとしての使用方法について説明する。
図３によると、多機能ドリンクホルダ１は、本体３を留受部材１０が上下方向に向いた状態にし、係止具６を本体３の下側の留受部材１０に係止させることでドリンクホルダとして使用可能となる。詳しくは、係止具６を本体３の下側の留受部材１０に係止させるために、係止部材２２を上側に向けた係止具６を本体の下方から押し込むことで、可撓性のある係止部材２２が内径側に変形しながら留受部材１０の開口を通過する。この際、先端外側面２２ｃは摩擦係数が低くなっているため、留受部材１０に引っかかることなくスムーズに開口を通過できる。そして、返し部２２ｂの先端が留受部材１０の側面部材８側の平面をなす部分である留受面１０ｂを超えるとき、係止部材２２は、内径側に変形した状態から元の状態（図示された状態）に戻る。このとき、返し部２２ｂの先端は、留受面１０ｂに触れることで係止具６を留受部材１０に支持し、係止させる。またこのとき、留受面１０ｂ、根元部２２ａ、返し部２２ｂによって、空隙２４が確保されている。
【００２１】
なお、本体３を車両に組み付ける方法としては、図１に記載された取付部材７ａもしくは取付部材７ｂを用いて車両に取り付けることができる。即ち、車両のシートに設けられた、後部座席側向けのポケットに取り付ける場合は、予め本体３に組み付けた取付部材７ａを用いて該ポケットに取り付けることが可能となる。また、車内のエアコンの吹き出し口に設けられたルーバに取り付ける場合は、予め本体３に組み付けられた取付部材７ｂを用いて取り付けることが可能である。なお、取付部材７ａは、取り付ける場所によって取り付け方が変わるため、適宜取り付け方に合ったものを使用することとなる。
【００２２】
図４を参照すると、ペットボトル（容器、飲料容器）３０を乗せて使用する状態での本実施形態に係る多機能ドリンクホルダ１の断面図が示されている。
ペットボトル３０は、係止部材２２を押圧することで、係止部材２２によって該ペットボトル３０の底を支持されている。詳しくは、係止部材２２は、可撓性があるため、ペットボトル３０が載ることによって空隙２４をなくしながら変形させられる。これにより、返し部２２ｂの縁部材２０側の面は、留受部材１０の留受面１０ｂに押し付けられて密着する。更にペットボトル３０は、ペットボトル３０にかかる重力によって、返し部２２ｂを留受面１０ｂに押し付ける。これにより、返し部２２ｂと留受面１０ｂの密着する面は、摩擦力が上がり、係止具６が留受部材１０から抜け落ちることがなくなるため、ペットボトル３０を支持することができる。なお、留受部材１０の最内径は、ペットボトル３０の外径と出来る限り近いようにすることが望ましい。即ち、係止部材２２は、該摩擦力を利用してペットボトル３０を保持するだけでなく、留受部材１０とペットボトル３０による、返し部２２ｂにかかるせん断応力を利用し、より確実にペットボトル３０を保持することができる。
【００２３】
次に、図５及び図６を用いて本発明に係る多機能ドリンクホルダ１をゴミ箱として使用する方法について説明する。
図５を参照すると、ゴミ箱として使用する状態での本実施形態に係る多機能ドリンクホルダ１の断面図が示されている。
多機能ドリンクホルダ１は、ドリンクホルダとしての使用方法と同じく、本体３を留受部材１０が上下方向へ向いた状態にしてゴミ袋（容器、袋状容器）４０の口を留受部材１０と係止具６とによって挟みながら本体３の上側の留受部材１０に係止させる。これにより、ゴミ袋４０を吊持し、ゴミ箱として使用可能となる。詳しくは、まず、係止具６を係止部材２２が下側を向いた状態にして、ゴミ袋４０の口を係止具６の開口に通す。次に、ゴミ袋４０の口を広げ、係止具６の外径より外側を通すように下方に引く。その後、ゴミ袋４０の口を留受部材１０の開口を通すようにしながら係止具６を本体３の上方から押し込む。これにより、係止具６は、留受部材１０に係止され、ゴミ袋４０が係止部材２２と留受面１０ｂとによって挟まれる。
【００２４】
このようにゴミ袋４０を設置することにより、ゴミ袋４０は、係止具６を覆い、更に係止具６によって吊持されて、ゴミを蓄積可能な形態となる。係止具６がゴミ袋４０に覆われているため、ゴミを捨てても係止具６が汚れることがない。また、ゴミ袋４０は側面部材８の内面も覆っている。このため、ゴミが多機能ドリンクホルダ１に触れることがなく、多機能ドリンクホルダ１をドリンクホルダとして利用する際に衛生面を確保することができる。また、ゴミ袋４０の口が側面部材８（もしくは留受部材１０）の内側に隠れるため、見栄えが好い。
【００２５】
図６を参照すると、本実施形態に係る多機能ドリンクホルダ１をゴミ箱として使用した後、ゴミ袋４０を多機能ドリンクホルダ１から取り外すときの状態での多機能ドリンクホルダ１の断面図が示されている。
ゴミ袋４０を多機能ドリンクホルダ１から取り外す際、ゴミ袋４０は、その下端を下方向に引くことで多機能ドリンクホルダ１から取り外される。
【００２６】
詳しくは、ゴミ袋４０の下端を下方向に引く際、ゴミ袋４０の口は、係止部材２２の返し部２２ｂと接する部分を内径方向に引き寄せながら上昇する。これにより、返し部２２ｂの先端は、留受部材１０の最内径よりも小さい径となる。即ち、留受面１０ｂと返し部２２ｂは、ゴミ袋４０を挟むことができなくなることで、ゴミ袋４０を吊持することができなくなる。更に、返し部２２ｂの先端外側面２２ｃには摩擦係数が低くなるようなコーティングが施されているため、ゴミ袋４０の口は、係止部材２２の外径側を滑らかに通過可能となる。以上のようにしてゴミ袋４０は、ゴミ袋４０の口が縁部材２０と留受部材１０の間を通過して、多機能ドリンクホルダ１から取り外される。その際、常に留受部材１０の開口及び縁部材２０の開口が、ゴミが溜まっている部分より相対的に上に存在し、且つ構造上、袋がゴミを包み込むように移動するので、袋からゴミが零れ落ちる可能性が低くなる。
【００２７】
以上説明したように、本発明に係る多機能ドリンクホルダ１は、上下端に開口を有する筒状に形成された本体３と、本体３の開口の周縁に設けられ、開口の内側に向かって突出された留受部材１０と、留受部材１０に係脱可能に装着された枠状の部材であって、内周縁が留受部材１０より開口の内側に位置する縁部材２０と、により構成され、縁部材２０が本体３の下端に位置しているとき、縁部材２０の上にペットボトル３０を保持可能となり、縁部材２０が本体３の上端に位置しているとき、留受部材１０と縁部材２０の間にゴミ袋４０を挟み込むことによってゴミ袋４０を保持可能となるよう構成されている。
【００２８】
これにより、縁部材２０が本体３の下端に位置しているとき、縁部材２０の上にペットボトル３０を保持可能となり、縁部材２０が本体３の上端に位置しているとき、留受部材１０と縁部材２０の間にゴミ袋４０を挟み込むことによってゴミ袋４０を保持可能となるようにすることで、本発明に係る多目的ドリンクホルダ１をペットボトル３０を保持するために使用することと、ゴミ袋４０を保持してゴミ箱として使用することとで使い分けることができる。
【００２９】
また、縁部材２０は、留受部材１０に係脱可能な可撓性の係止部材２２を有し、係止部材２２は、縁部材２０の内周縁から縁部材２０の開口径方向に対し垂直な方向に向かい延びており、係止部材２２の先端には、縁部材２０の外周方向に向かい突出し留受部材１０に係脱可能な返し部２２ｂを設けて構成されている。
これにより、縁部材２０に設けられた係止部材２２材によって縁部材２０を留受部材１０材に係止可能とすることで、ペットボトル３０を保持するときは、係止部材２２は、ペットボトル３０により押圧され留受部材１０に密着することでペットボトル３０を留受部材１０に保持することができ、ゴミ袋４０を保持するときは、係止部材２２材は、縁部材２０の開口に挿入されて縁部材２０を覆うよう折り返されたゴミ袋４０の開口縁を留受面１０ｂとの間に挟み込むことでゴミ袋４０を留受部材１０に保持することができる。
【００３０】
また、係止部材２２のうち、先端外側面２２ｃは、返し部２２ｂの縁部材２０側に比べ摩擦係数が低くされている。
これにより、返し部２２ｂの縁部材２０側の面の摩擦係数が高く、先端外側面２２ｃの摩擦係数が低いので、ペットボトル３０を保持する力を低下させない一方、ゴミ袋４０を重力方向へ引き抜いて取り外すときのゴミ袋４０の口が、係止部材２２材の外径側を滑らかに通過可能とされる。
【００３１】
また、留受部材１０は、本体３の両端に設けられているので、本体３を一定の向きに固定して使用する場合であっても、係止部材２２を下側に設けられた縁部材２０を本体３の上側に設けられた留受部材１０に係止させることでペットボトル３０を保持することができ、係止部材２２を上側に設けられた縁部材２０を本体３の下側に設けられた留受部材１０にゴミ袋４０の開口縁を間に挟み込みながらにして係止することでゴミ箱として使用することが可能とされる。
【００３２】
以下、図７、及び図８に基づき第２実施形態について説明する。なお、上記第１実施形態と共通の構成については説明を省略し、ここでは第１実施形態と異なる部分について説明する。
＜第２実施形態＞
図７を参照すると、第２実施形態に係る多機能ドリンクホルダである、収納式ホルダ５０の概略構成図が示されている。
【００３３】
収納式ホルダ５０は、収納式本体５２と、係止具６によって構成されている。
収納式本体５２は、収納式留受部材６０、伸縮部材６２、留受部材１０によって構成されている。
収納式留受部材６０は、収納式本体５２の上部に位置し、留受構造部６０ａ、引き出し部６０ｂ、収納蓋６０ｃによって構成されている。
【００３４】
図８を参照すると、収納庫６６に収納された状態の収納式ホルダ５０の断面図が示されており、留受構造部６０ａは、第１実施形態における留受部材１０と同じく留受部材を有し、留受部材１０の最外径よりも大きい径の嵌合部６０ｅを有している。
引き出し部６０ｂは、例えば、インストルメントパネル６４に設けられた収納庫６６内に図示しないスライド機構を設けている。これにより、引き出し部６０ｂ、即ち、収納式ホルダ５０は、支持されながらにして使用位置から収納位置である収納庫６６にスライドして収納することができる。
【００３５】
収納蓋６０ｃは、引き出し部６０ｂが収納庫６６に収納されるときに収納庫６６の蓋となる。
伸縮部材６２は、折り畳むことが可能な布でできている、また、図８によると、伸縮部材６２は、上端が留受構造部６０ａの付け根６０ｄに組み付き、下端が第１実施形態同様、留受部材１０の端部１０ａに組み付いている。なお、伸縮部材６２は、ゴムやシリコンのような可撓性のあるシート状のものでもよく、樹脂を蛇腹状にして折り畳むことが可能なようにしてもよい。
【００３６】
図７に戻り、収納式ホルダ５０をドリンクホルダまたはゴミ箱として使用する場合は、収納式留受部材６０を収納庫６６から引き出した状態で使用する。即ち、伸縮部材６２を下方に延ばすようにして留受部材１０を下方に配置し、係止具６を留受部材１０または収納式留受部材６０の留受構造部６０ａに係止させて使用する。
収納式ホルダ５０を収納庫６６に収納する場合は、図８のように留受部材１０を嵌合部６０ｅに嵌め込み、更に係止具６を留受部材１０または収納式留受部材６０に係止させる。このとき、伸縮部材６２は、収納式ホルダ５０の内径側に折りたたんで縮め、引き出し部６０ｂ上端及び留受部材１０下端からはみ出さないようにすることが望ましい。
【００３７】
なお、収納式留受部材６０を収納するときには、収納式留受部材６０を収納庫６６に押し込むことで収納し、引き出すときには、例えば収納蓋６０ｃを押すことで収納式留受部材６０を引き出すことができるように、引き出し部６０ｂ及び収納庫６６を構成するようにしてもよい。
以上により、側面部材８を伸縮部材６２とし、本体３を折り畳むことで、本発明に係る多目的ドリンクホルダ１を使用しない場合には、本体３を折り畳み、多目的ドリンクホルダ１をコンパクトにして収納することが可能とされる。
【００３８】
以上で本発明に係る多機能ドリンクホルダの説明を終えるが、本発明は上記実施形態に限られるものではなく、発明の主旨を逸脱しない範囲で変更可能である。
例えば、本実施形態では、円筒状やリング状である多機能ドリンクホルダについて説明したが、円筒状やリング状でなくてもよく、多角形であってもよい。
また、本実施形態では、留受部材１０を側面部材８の両端に配設するようにしたが、両端でなくてもよく、片端でもよい。この場合、ドリンクホルダとして使用する場合は留受部材１０が下になるように本体３を設置し、ゴミ箱として使用する場合は留受部材１０が上になるように本体３を設置すればよい。
【００３９】
また、本実施形態では、ドリンクホルダとして使用する場合の実施例をペットボトルを用いて説明したが、ペットボトルでなくてもよく、缶や紙コップでもよい。係止部材２２の内径を、市販されている飲み物の容器の中で最も小さい径より小さくし、留受部材１０の開口径を、市販されている飲み物の容器の中で最も大きい径より大きくすることで、どのような飲み物の容器にも対応できる。ただし、係止部材２２の内径は、ゴミ箱として使用する際のゴミの投入口になるため、小さすぎないほうがよい。
【００４０】
また、本実施形態では、係止部材２２の返し部２２ｂ外側の表面は低摩擦係数となるように塗料等で返し部２２ｂの先端外側面２２ｃにコーティングをしているが、返し部２２ｂと留受部材１０の留受面１０ｂの重なる部分以外であれば、先端外側面２２ｃに限らず、根元部２２ａや、係止具６と留受部材１０の重なる部分等に摩擦係数を下げる処理をしてもよい。
【００４１】
また、本実施形態では、ゴミ箱としての使用例を説明したが、ゴミ箱に限らず、例えばスナック菓子のような袋に予め入れられた状態で市販されているものを袋ごと取り付け、袋の開口状態を維持できるようにしてもよく、ゴミ袋４０の代わりに衛生的な袋を用い、水等の飲み物を入れる容器として使用してもよい。
また、本実施形態では、自動車に搭載された場合について説明したが、自動車に搭載する場合に限らず、例えばキャンプ用の椅子に設置することや、取っ手を本体３や留受部材１０に設け、マグカップのように使用してもよい。
【００４２】
また、第２実施形態では、係止具６を収納式留受部材６０の留受構造部６０ａに設けた嵌合部６０ｅに嵌合することで、収納式ホルダ５０を収納可能な形態にするようにしたが、係止具６の上端と収納式留受部材６０の下端に磁石を設けて係止するようにしてもよく、伸縮部材６２を樹脂でできた蛇腹形状にし、留受部材１０を上方に押しあげた場合、押しあげた位置で留受部材１０の高さを固定できるようにすることで、留受部材１０を収納式留受部材６０近傍で固定して収納式ホルダ５０を収納可能な形態にしてもよい。
【００４３】
また、本実施形態では、本体３を側面部材８と留受部材１０によって構成したが、例えば車両のインストルメントパネル６４に留受部材１０の軸方向を変更可能な様に設け、留受部材１０の留受面１０ｂが上側を向くときは、ドリンクホルダとして、留受部材１０の留受面１０ｂが下側を向くときはゴミ袋を係止する器具として使用可能な様にしてもよい。なお、ドリンクホルダとして使用する場合を考慮し、ペットボトル３０の上側を支持するために、例えばリング状の支持具を設けるようにすればよい。
【符号の説明】
【００４４】
１  多機能ドリンクホルダ
３  本体（本体部）
６  係止具
８  側面部材
１０  留受部材（留受部）
１０ａ  端部
１０ｂ  留受面
２０  縁部材
２２  係止部材（係止部）
２２ａ  根元部
２２ｂ  返し部
２２ｃ  先端外側面
３０  ペットボトル（容器、飲料容器）
４０  ゴミ袋（容器、袋状容器）
５０  収納式ホルダ
５２  収納式本体
６０  収納式留受部材
６０ａ  留受構造部
６０ｂ  引き出し部
６０ｅ  嵌合部
６２  伸縮部材
６６  収納庫
【図１】
2018108748.tif 000003
【図２】
2018108748.tif 000004
【図３】
2018108748.tif 000005
【図４】
2018108748.tif 000006
【図５】
2018108748.tif 000007
【図６】
2018108748.tif 000008
【図７】
2018108748.tif 000009
【図８】
2018108748.tif 000010